【手続補正書】
【提出日】平成20年8月12日(2008.8.12)
【手続補正１】
【補正対象書類名】明細書
【補正対象項目名】特許請求の範囲
【補正方法】変更
【補正の内容】
【特許請求の範囲】
【請求項１】
一部がノズル孔を規定する液体チャンバと、
液体サプライと、
前記液体チャンバと前記液体サプライとの間に位置して、前記液体チャンバ及び前記液体サプライと液通している液体サプライ通過路と、
前記液体サプライ通過路に懸架されている複数のピラーと、
を備える、液体ドロップ射出器。
【請求項２】
複数の液体チャンバであって、前記複数の液体チャンバの各々の一部がノズル孔を規定し、前記複数の液体チャンバの各々の他の一部が隣接する液体チャンバの間に位置する壁を規定し、前記壁がある長さを有している、複数の液体チャンバと、
前記複数の液体チャンバの各々と液通している液体サプライ通過路と、
を備えており、
前記壁の前記長さが前記液体サプライ通過路に延在している、液体ドロップ射出器。
【請求項３】
一部がノズル孔を規定する液体チャンバと、
液体サプライと、
前記液体チャンバと前記液体サプライとの間に位置して、前記液体チャンバ及び前記液体サプライと液通している液体サプライ通過路と、
中央ピラーであって、前記中央ピラーの一部が前記液体チャンバに位置し且つ前記中央ピラーの他の一部が前記液体サプライ通過路に位置する、中央ピラーと、
を備える、液体ドロップ射出器。
【手続補正２】
【補正対象書類名】明細書
【補正対象項目名】００５６
【補正方法】変更
【補正の内容】
【００５６】
本発明が、そのある好適な実施形態を特に参照して詳細に記述されてきたが、変形及び改変が本発明の範囲内で行われることができる点を理解されたい。
［付記］
（付記１）
一部がノズル孔を規定する液体チャンバと、
液体サプライと、
前記液体チャンバと前記液体サプライとの間に位置して、前記液体チャンバ及び前記液体サプライと液通している液体サプライ通過路と、
前記液体サプライ通過路に懸架されている複数のピラーと、
を備える、液体ドロップ射出器。
（付記２）
前記液体サプライ通過路が壁を有し、前記ピラーが前記液体サプライ通過路の壁から懸架されている、付記１に記載の液体ドロップ射出器。
（付記３）
前記液体サプライ通過路の壁が、前記ノズル孔の断面視野に垂直な平面から見ると、前記ノズル孔に実質的に垂直である、付記２に記載の液体ドロップ射出器。
（付記４）
前記液体サプライ通過路の壁が、前記ノズル孔の断面視野に垂直な平面から見ると、前記ノズル孔に平行である、付記２に記載の液体ドロップ射出器。
（付記５）
前記液体チャンバの前記ノズル孔を規定する一部が前記液体チャンバと前記液体サプライ通過路との間に延在しているノズルプレートを含み、前記ピラーが前記ノズルプレートから懸架されている、付記１に記載の液体ドロップ射出器。
（付記６）
前記ピラーが、前記ノズル孔の断面視野に垂直な平面から見ると前記ノズル孔に垂直な平面内で前記液体サプライ通過路に懸架されている、付記１に記載の液体ドロップ射出器。
（付記７）
前記ピラーが、前記ノズル孔の断面視野に垂直な平面から見ると前記ノズル孔に平行な平面内で前記液体サプライ通過路に懸架されている、付記１に記載の液体ドロップ射出器。
（付記８）
中央ピラーをさらに備えており、前記中央ピラーの一部が前記液体チャンバに位置し、且つ前記中央ピラーの他の一部が前記液体サプライ通過路に位置する、付記１に記載の液体ドロップ射出器。
（付記９）
前記中央ピラーが２つの端を有しており、一つの端が前記液体チャンバと前記液体サプライ通過路とに共通の壁に取り付けられており、第２の端の一部が前記液体サプライ通過路と前記液体チャンバとに共通の他の壁に取り付けられ、且つ第２の端の他の一部が前記液体サプライ通過路に懸架されている、付記８に記載の液体ドロップ射出器。
（付記１０）
複数の液体チャンバであって、前記複数の液体チャンバの各々の一部がノズル孔を規定し、前記複数の液体チャンバの各々の他の一部が隣接する液体チャンバの間に位置する壁を規定し、前記壁がある長さを有している、複数の液体チャンバと、
前記複数の液体チャンバの各々と液通している液体サプライ通過路と、
を備えており、
前記壁の前記長さが前記液体サプライ通過路に延在している、液体ドロップ射出器。
（付記１１）
前記液体サプライ通過路に懸架されている複数のピラーをさらに備えている、付記１０に記載の液体ドロップ射出器。
（付記１２）
前記液体サプライ通過路が壁を有しており、前記ピラーが前記液体サプライ通過路の壁から懸架されている、付記１１に記載の液体ドロップ射出器。
（付記１３）
前記液体サプライ通過路の壁が、前記ノズル孔の断面視野に垂直な平面から見ると前記ノズル孔に実質的に垂直である、付記１２に記載の液体ドロップ射出器。
（付記１４）
前記液体サプライ通過路の壁が、前記ノズル孔の断面視野に垂直な平面から見ると前記ノズル孔に平行である、付記１２に記載の液体ドロップ射出器。
（付記１５）
前記液体チャンバの前記ノズル孔を規定する一部が前記液体チャンバと前記液体サプライ通過路との間に延在しているノズルプレートを含み、前記ピラーが前記ノズルプレートから懸架されている、付記１１に記載の液体ドロップ射出器。
（付記１６）
前記ピラーが、前記ノズル孔の断面視野に垂直な平面から見ると前記ノズル孔に垂直な平面内で前記液体サプライ通過路に懸架されている、付記１１に記載の液体ドロップ射出器。
（付記１７）
前記ピラーが、前記ノズル孔の断面視野に垂直な平面から見ると前記ノズル孔に平行な平面内で前記液体サプライ通過路に懸架されている、付記１１に記載の液体ドロップ射出器。
（付記１８）
中央ピラーをさらに備えており、前記中央ピラーの一部が前記液体チャンバに位置し、且つ前記中央ピラーの他の一部が前記液体サプライ通過路に位置する、付記１０に記載の液体ドロップ射出器。
（付記１９）
前記中央ピラーが２つの端を有しており、一つの端が前記液体チャンバと前記液体サプライ通過路とに共通の壁に取り付けられており、第２の端の一部が前記液体サプライ通過路と前記液体チャンバとに共通の他の壁に取り付けられ、且つ第２の端の他の一部が前記液体サプライ通過路に懸架されている、付記１８に記載の液体ドロップ射出器。
（付記２０）
一部がノズル孔を規定する液体チャンバと、
液体サプライと、
前記液体チャンバと前記液体サプライとの間に位置して、前記液体チャンバ及び前記液体サプライと液通している液体サプライ通過路と、
中央ピラーであって、前記中央ピラーの一部が前記液体チャンバに位置し且つ前記中央ピラーの他の一部が前記液体サプライ通過路に位置する、中央ピラーと、
を備える、液体ドロップ射出器。
（付記２１）
前記中央ピラーが２つの端を有しており、一つの端が前記液体チャンバと前記液体サプライ通過路とに共通の壁に取り付けられており、第２の端の一部が前記液体サプライ通過路と前記液体チャンバとに共通の他の壁に取り付けられ、且つ第２の端の他の一部が前記液体サプライ通過路に懸架されている、付記２０に記載の液体ドロップ射出器。
（付記２２）
前記液体サプライ通過路に懸架されている複数のピラーをさらに備えている、付記２０に記載の液体ドロップ射出器。
（付記２３）
前記液体サプライ通過路が壁を有しており、前記ピラーが前記液体サプライ通過路の壁から懸架されている、付記２２に記載の液体ドロップ射出器。
（付記２４）
前記液体サプライ通過路の壁が、前記ノズル孔の断面視野に垂直な平面から見ると前記ノズル孔に実質的に垂直である、付記２３に記載の液体ドロップ射出器。
（付記２５）
前記液体サプライ通過路の壁が、前記ノズル孔の断面視野に垂直な平面から見ると前記ノズル孔に平行である、付記２３に記載の液体ドロップ射出器。
（付記２６）
前記液体チャンバの前記ノズル孔を規定する一部が前記液体チャンバと前記液体サプライ通過路との間に延在しているノズルプレートを含み、前記ピラーが前記ノズルプレートから懸架されている、付記２２に記載の液体ドロップ射出器。
（付記２７）
前記ピラーが、前記ノズル孔の断面視野に垂直な平面から見ると前記ノズル孔に垂直な平面内で前記液体サプライ通過路に懸架されている、付記２２に記載の液体ドロップ射出器。
（付記２８）
前記ピラーが、前記ノズル孔の断面視野に垂直な平面から見ると前記ノズル孔に平行な平面内で前記液体サプライ通過路に懸架されている、付記２２に記載の液体ドロップ射出器。
（付記２９）
前記液体チャンバと動作的に関係付けられているドロップ形成機構をさらに備えている、付記１に記載の液体ドロップ射出器。
（付記３０）
ドロップ形成機構がヒータを含む、付記２９に記載の液体ドロップ射出器。
（付記３１）
前記ヒータが前記ノズル孔に隣接して位置している、付記３０に記載の液体ドロップ射出器。
（付記３２）
前記ヒータが前記液体チャンバに位置している、付記３０に記載の液体ドロップ射出器。
（付記３３）
前記ピラーが断面形状を有し、前記断面形状の一部が円形である、付記１に記載の液体ドロップ射出器。
（付記３４）
前記ピラーが縁を有する断面形状を有し、前記断面形状の前記縁が閉曲線を形成する、付記１に記載の液体ドロップ射出器。
（付記３５）
複数の付加的な液体チャンバをさらに備えており、前記各々の付加的な液体チャンバの一部がノズル孔を規定し、前記各々の付加的な液体チャンバが前記液体サプライ通過路と液通している、付記１に記載の液体ドロップ射出器。
（付記３６）
前記複数のピラーが前記複数の液体チャンバの一つに関連付けられている、付記１１に記載の液体ドロップ射出器。
（付記３７）
前記複数のピラーのうちの一つのピラーが前記複数の液体チャンバのうちの一つのチャンバに関連付けられている、付記１１に記載の液体ドロップ射出器。